(57)【要約】【課題】無線通信端末の非接触ＩＣカード機能の利用時に通信の継続性を維持しつつ端末における通信を一時停止する。【解決手段】無線通信端末ＭＳ１は、電話の通話中（Ｓ１１）に当該端末の非接触ＩＣカード機能を利用する際、その利用に先立って通話の中断を基地局ＢＳ１に要求し（Ｓ１２）、自端末の無線回路の動作を一時停止する。その後、非接触ＩＣカード機能を動作させ（Ｓ１６）、その利用終了後に基地局ＭＳ１に対して通話の再開を要求する（Ｓ１７）。基地局ＢＳ１は、中断の要求に応じて、通話相手ＭＳ２に対しては保留状態（Ｓ１５）とするとともに端末ＭＳ１との通信を一旦切断する（Ｓ１４）。その後、端末ＭＳ１からの通話再開の要求を受けたとき、通話相手ＭＳ２の保留状態を解除するとともに端末ＭＳ１と当該通話相手ＭＳ２とを再接続して（Ｓ２１）、通話状態（Ｓ２２）を再開させる。【選択図】図５
2005328130.tif 000002
【特許請求の範囲】
【請求項１】
非接触ＩＣカード機能および通話機能を有する無線通信端末と基地局との間で無線通信を行う無線通信システムにおいて、
無線通信端末は、電話の通話中に当該無線通信端末の非接触ＩＣカード機能を利用する際、その利用に先立って通話の中断を基地局に要求し、自端末の無線回路の動作を一時停止した後、非接触ＩＣカード機能を動作させ、非接触ＩＣカード機能の利用終了後に基地局に対して通話の再開を要求し、
基地局は、前記中断の要求に応じて、通話相手に対しては保留状態とするとともに前記無線通信端末との通信を一旦切断し、前記無線通信端末からの通話再開の要求を受けたとき、前記通話相手の保留状態を解除するとともに当該無線通信端末と当該通話相手とを再接続して通話を再開させる
ことを特徴とする無線通信システム。
【請求項２】
前記基地局は、前記無線通信端末からの通話の中断要求の受信時に、少なくとも当該無線通信端末の識別情報を一時保存しておき、前記無線通信端末は前記通話の再開の要求時に当該無線通信端末の識別情報を基地局へ送信し、基地局は受信した識別情報を前記一時保存されている識別情報と比較して両者が一致したことを条件として通話の再開を行うことを特徴とする請求項１記載の無線通信システム。
【請求項３】
前記無線通信端末は、通話中に非接触ＩＣカード機能の利用を行うことをユーザが入力指示する操作手段を備え、この操作手段からの指示に応じて前記中断の要求を行うことを特徴とする請求項１記載の無線通信システム。
【請求項４】
非接触ＩＣカード機能および通話機能を有する無線通信端末と基地局との間で無線通信を行う無線通信システムにおいて、
無線通信端末は、電話の通話中に当該無線通信端末の非接触ＩＣカード部が外部リーダライタからの所定の信号を検出したとき、その利用開始に先立って通話の中断を基地局に要求し、自端末の無線回路の動作を一時停止した後、非接触ＩＣカード機能を動作させ、非接触ＩＣカード機能の利用終了後に基地局に対して通話の再開を要求し、
基地局は、前記中断の要求に応じて、前記通話相手に対しては保留状態とするとともに前記無線通信端末との通信を一旦切断する
ことを特徴とする無線通信システム。
【請求項５】
前記無線通信端末は、前記非接触ＩＣカード部が外部リーダライタからの所定の信号を検出して割り込みを発生する割り込み発生手段を備え、通話中に割り込みが発生したとき、前記中断の要求を行うことを特徴とする請求項４記載の無線通信システム。
【請求項６】
前記基地局は、前記無線通信端末からの通話再開の要求を受けたとき、前記通話相手の保留状態を解除するとともに当該無線通信端末と当該通話相手とを再接続して通話を再開させることを特徴とする請求項５記載の無線通信システム。
【請求項７】
非接触ＩＣカード機能および通話機能を有する無線通信端末と基地局との間で無線通信を行う無線通信システムにおいて、
無線通信端末は、サーバからのデータのダウンロード中に当該無線通信端末の非接触ＩＣカード機能を利用する際、その利用に先立って通話の中断を基地局に要求し、自端末の無線回路の動作を一時停止した後、非接触ＩＣカード機能を動作させ、非接触ＩＣカード機能の利用終了後に基地局に対して、前記中断されたダウンロードの再開を要求し、
基地局は、前記中断の要求に応じて、前記サーバに対してはダウンロードの中断を要求するとともに前記無線通信端末との通信を一旦切断し、前記無線通信端末からのダウンロード再開の要求を受けたとき、前記サーバに対して前記中断されたダウンロードの再開を要求するとともに当該無線通信端末と当該サーバとを再接続してダウンロードを再開させる
ことを特徴とする無線通信システム。
【請求項８】
前記基地局は、前記無線通信端末からの前記中断の要求の受信時に、当該無線通信端末の識別情報およびダウンロード対象のＵＲＬ情報を受信して一時保存しておき、前記無線通信端末は前記通話の再開の要求時に当該無線通信端末の識別情報および前記ダウンロード対象のＵＲＬ情報を基地局へ送信し、基地局は受信した当該識別情報およびＵＲＬ情報を前記一時保存されている前記識別情報およびＵＲＬ情報と比較していずれも一致したことを条件としてダウンロードの再開を行うことを特徴とする請求項７記載の無線通信システム。
【請求項９】
前記無線通信端末は、ダウンロード中に非接触ＩＣカード機能の利用を行うことをユーザが入力指示する操作手段を備え、この操作手段からの指示に応じて前記中断の要求を行うことを特徴とする請求項７記載の無線通信システム。
【請求項１０】
非接触ＩＣカード機能およびダウンロード機能を有する無線通信端末と基地局との間で無線通信を行う無線通信システムにおいて、
無線通信端末は、ダウンロード中に当該無線通信端末の非接触ＩＣカード部が外部リーダライタからの所定の信号を検出したとき、その利用開始に先立って通話の中断を基地局に要求し、自端末の無線回路の動作を一時停止した後、非接触ＩＣカード機能を動作させ、非接触ＩＣカード機能の利用終了後に基地局に対してダウンロードの再開を要求し、
基地局は、前記無線通信端末からのダウンロード再開の要求を受けたとき、前記サーバに対して前記中断されたダウンロードの再開を要求するとともに当該無線通信端末と当該サーバとを再接続してダウンロードを再開させる
ことを特徴とする無線通信システム。
【請求項１１】
前記無線通信端末は、前記非接触ＩＣカード部が外部リーダライタからの所定の信号を検出して割り込みを発生する割り込み発生手段を備え、ダウンロード中に割り込みが発生したとき、前記中断の要求を行うことを特徴とする請求項１０記載の無線通信システム。
【請求項１２】
無線回路を有し基地局との間で電話通信を行う通信手段と、
外部リーダライタとの間で近距離データ通信を行う非接触ＩＣカード部と、
電話の通話中に非接触ＩＣカード機能が利用されることを検出するカード利用検出手段と、
このカード利用検出手段の検出に応じて基地局に対して通話の中断要求を行うとともに、前記無線回路の動作を一時停止し、非接触ＩＣカード機能の利用終了後に前記無線回路の動作を再開させるとともに基地局に対して通話の復帰要求を行う制御手段と、
を備えたことを特徴とする無線通信端末。
【請求項１３】
前記制御手段は、通話の中断時に現在の通話状態情報を待避し、中断からの復帰時に前記通話状態情報を復元することを特徴とする請求項１２記載の無線通信端末。
【請求項１４】
無線回路を有し基地局との間でデータ通信を行う通信手段と、
外部リーダライタとの間で近距離データ通信を行う非接触ＩＣカード部と、
データのダウンロード中に非接触ＩＣカード機能が利用されることを検出するカード利用検出手段と、
このカード利用検出手段の検出に応じて基地局に対してデータ通信の中断要求を行うとともに、前記無線回路の動作を一時停止し、非接触ＩＣカード機能の利用終了後に前記無線回路の動作を再開させるとともに基地局に対してデータ通信の復帰要求を行う制御手段と、
を備えたことを特徴とする無線通信端末。
【請求項１５】
前記制御手段は、データ通信の中断時に現在の通信状態情報を待避し、中断からの復帰時に前記通信状態情報を復元することを特徴とする請求項１５記載の無線通信端末。
【請求項１６】
前記カード利用検出手段は、ユーザが非接触ＩＣカード機能の利用に先立って操作する操作手段を含み、前記制御手段は、前記操作手段からの割り込みにより非接触ＩＣカード機能の利用開始を認識することを特徴とする請求項１２または１４記載の無線通信端末。
【請求項１７】
前記カード利用検出手段は、非接触ＩＣカード部からの割り込みにより非接触ＩＣカード機能の利用開始を認識することを特徴とする請求項１２または１４記載の無線通信端末。
【請求項１８】
通話中の無線通信端末からの通話の中断の要求に応じて、通話相手に対しては保留状態とするとともに前記無線通信端末との通信を一旦切断し、前記無線通信端末からの通話再開の要求を受けたとき、前記通話相手の保留状態を解除するとともに当該無線通信端末と当該通話相手とを再接続して通話を再開させることを特徴とする基地局。
【請求項１９】
前記無線通信端末からの前記中断の要求の受信時に、少なくとも当該無線通信端末の識別情報を一時保存しておき、前記無線通信端末は前記通話の再開の要求時に当該無線通信端末の識別情報を基地局へ送信し、基地局は受信した識別情報を前記一時保存されている識別情報と比較して両者が一致したことを条件として通話の再開を行うことを特徴とする請求項１８記載の基地局。
【請求項２０】
サーバからのデータのダウンロード中の無線通信端末からのデータ通信の中断の要求に応じて、前記サーバに対してはダウンロードの中断を要求するとともに前記無線通信端末との通信を一旦切断し、前記無線通信端末からのダウンロード再開の要求を受けたとき、前記サーバに対して前記中断されたダウンロードの再開を要求するとともに当該無線通信端末と当該サーバとを再接続してダウンロードを再開させることを特徴とする基地局。
【請求項２１】
前記無線通信端末からの前記中断の要求の受信時に、当該無線通信端末の識別情報およびダウンロード対象のＵＲＬ情報を受信して一時保存しておき、前記無線通信端末は前記通話の再開の要求時に当該無線通信端末の識別情報および前記ダウンロード対象のＵＲＬ情報を基地局へ送信し、基地局は受信した当該識別情報およびＵＲＬ情報を前記一時保存されている前記識別情報およびＵＲＬ情報と比較していずれも一致したことを条件としてダウンロードの再開を行うことを特徴とする請求項２０記載の基地局。
【発明の詳細な説明】
【技術分野】
【０００１】
本発明は、非接触ＩＣカード機能を備えた無線通信端末およびこの端末を使用する無線通信システムならびにその基地局に関するものである。
【背景技術】
【０００２】
近年、近距離での無線によるデータ通信を行える非接触型ＩＣカードの利用により、鉄道駅の改札、会社への入門・入室時の認証処理を円滑に行えるようになってきている。さらには、電子マネーとして買い物等への利用も始まっている。この種の非接触ＩＣカードは、電源を必要としない為、半永久的に、メンテナンスの必要なく使用することができる。
【０００３】
一方、携帯電話機が普及しており、非接触ＩＣカード機能機能を携帯電話機と一体化することによって、交通定期券や社員証（または入門証）などを携帯電話機と別々に所持する必要がなくなり、ユーザの利便性が向上すると考えられる。
【０００４】
しかしその反面、携帯電話機と非接触型ＩＣカードは特に電波を送受信する為、両者の使用周波数帯が異なっていても、高調波等の影響もあり、携帯電話機と非接触型ＩＣカードの一方の電波が他方の電波を妨害して通信を阻害する可能性がある。
【０００５】
この問題を解決する為に、非接触型ＩＣカードの通信が開始されたら、携帯電話機の送信部の動作を停止するという技術が提案されている（特許文献１）。
【特許文献１】特開平２００２−３４４３７６号
【発明の開示】
【発明が解決しようとする課題】
【０００６】
上記特許文献１に記載の技術では、携帯電話の通信が強制的に停止されてしまうため、通話中の場合には電話が切れてしまう。通話を再開するためには、一方が再ダイヤルしなければならない。また、Ｗｅｂ閲覧中の場合、データ通信が遮断されるため、例えばダウンロードを行っていた場合に、その時点までに受信していたデータが無駄になってしまう、など不便な点がある。
【０００７】
本発明はこのような背景においてなされたものであり、その目的は、無線通信端末の非接触ＩＣカード機能の利用時に通信の継続性を維持しつつ端末における通信を一時停止することができる無線通信システム、無線通信端末および基地局を提供することにある。
【課題を解決するための手段】
【０００８】
本発明による無線通信システムは、非接触ＩＣカード機能および通話機能を有する無線通信端末と基地局との間で無線通信を行うシステムである。この無線通信システムにおいて、無線通信端末は、電話の通話中に当該無線通信端末の非接触ＩＣカード機能を利用する際、その利用に先立って通話の中断を基地局に要求し、自端末の無線回路の動作を一時停止した後、非接触ＩＣカード機能を動作させ、非接触ＩＣカード機能の利用終了後に基地局に対して通話の再開を要求する。基地局は、前記中断の要求に応じて、通話相手に対しては保留状態とするとともに前記無線通信端末との通信を一旦切断し、前記無線通信端末からの通話再開の要求を受けたとき、前記通話相手の保留状態を解除するとともに当該無線通信端末と当該通話相手とを再接続して通話を再開させる。
【０００９】
前記中断要求に応じて、その要求を行った端末と基地局との間の通信は切断されるが、通話相手と当該基地局との間の接続状態は維持される。したがって、非接触ＩＣカード機能の利用中は、中断要求を行った端末の通信回路の動作を停止させて無線通信のための電波の発生を完全に遮断することができる。その結果、非接触ＩＣカード部の無線通信と端末の無線通信との間の相互の影響を排除することができる。また、通話相手と当該基地局との間の接続状態は維持されるので、非接触ＩＣカード機能の利用終了後に、再ダイヤルの必要なく、元の通話状態に復帰させることができる。
【００１０】
本発明による他の無線通信システムは、非接触ＩＣカード機能および通話機能を有する無線通信端末と基地局との間で無線通信を行うシステムである。この無線通信システムにおいて、無線通信端末は、サーバからのデータのダウンロード中に当該無線通信端末の非接触ＩＣカード機能を利用する際、その利用に先立って通話の中断を基地局に要求し、自端末の無線回路の動作を一時停止した後、非接触ＩＣカード機能を動作させ、非接触ＩＣカード機能の利用終了後に基地局に対して、前記中断されたダウンロードの再開を要求する。基地局は、前記中断の要求に応じて、前記サーバに対してはダウンロードの中断を要求するとともに前記無線通信端末との通信を一旦切断し、前記無線通信端末からのダウンロード再開の要求を受けたとき、前記サーバに対して前記中断されたダウンロードの再開を要求するとともに当該無線通信端末と当該サーバとを再接続してダウンロードを再開させる。
【００１１】
このシステムにおいても、前記中断要求に応じて、その要求を行った端末と基地局との間の通信は切断されるが、基地局とサーバとの間の接続状態は維持される。したがって、非接触ＩＣカード機能の利用中は、中断要求を行った端末の通信回路の動作を停止させて無線通信のための電波の発生を完全に遮断することができ、その結果、非接触ＩＣカード部の無線通信と端末の無線通信との間の相互の影響を排除することができる。また、基地局とサーバとの間の接続状態は維持されるので、非接触ＩＣカード機能の利用終了後に、元の通信状態に復帰させることができる。
【００１２】
本発明による無線通信端末は、無線回路を有し基地局との間で電話通信を行う通信手段と、外部リーダライタとの間で近距離データ通信を行う非接触ＩＣカード部と、電話の通話中に非接触ＩＣカード機能が利用されることを検出するカード利用検出手段と、制御手段とを備える。この制御手段は、このカード利用検出手段の検出に応じて基地局に対して通話の中断要求を行うとともに、前記無線回路の動作を一時停止し、非接触ＩＣカード機能の利用終了後に前記無線回路の動作を再開させるとともに基地局に対して通話の復帰要求を行う。
【００１３】
この構成は、電話通信（通話）の代わりにデータ通信についても適用されうる。前記制御手段は、データ通信の中断時に現在の通信状態情報を待避し、中断からの復帰時に前記通信状態情報を復元することができる。
【００１４】
前記カード利用検出手段は、ユーザが非接触ＩＣカード機能の利用に先立って操作する操作手段を含んでもよい。この場合、前記制御手段は、前記操作手段からの割り込みにより非接触ＩＣカード機能の利用開始を認識する。これにより、ユーザの意思により通話等の中断が行われる。
【００１５】
また、前記カード利用検出手段は、非接触ＩＣカード部からの割り込みにより非接触ＩＣカード機能の利用開始を認識することもできる。これにより、自動的に通話等の中断が行われる。
【００１６】
本発明による基地局は、通話中の無線通信端末からの通話の中断の要求に応じて、通話相手に対しては保留状態とするとともに前記無線通信端末との通信を一旦切断し、前記無線通信端末からの通話再開の要求を受けたとき、前記通話相手の保留状態を解除するとともに当該無線通信端末と当該通話相手とを再接続して通話を再開させる。この構成は、電話通信の代わりにデータ通信についても適用されうる。
【００１７】
上記以外の本発明の構成、作用、および効果は、以下に詳細に説明される。
【発明の効果】
【００１８】
本発明によれば、無線通信端末での非接触ＩＣカード機能の利用時に、基地局との間の接続が切断されるので、端末の送受信部の動作を完全に停止することができ、非接触ＩＣカード機能に対して基地局との間の通信が影響を与えることもなくなる。また、非接触ＩＣカード機能の通信が基地局との無線通信に影響を与えることもなくなる。しかも、非接触ＩＣカード機能の利用期間、端末と基地局との間の接続が遮断されるのみで、通話相手やサーバとの接続状態は維持されるので、容易に通話やデータ通信を再開することができる。通話やデータ通信の中断時にその時点の状態情報を保持しておくことにより、再開時に前の状態に対して継続的な復帰を迅速に行うことが可能になる。
【発明を実施するための最良の形態】
【００１９】
以下、本発明の好適な実施の形態について図面を参照しながら詳細に説明する。
【００２０】
図１は、本発明の第１の実施の形態に係るシステムの概略構成を示している。このシステムは、通話機能を有する携帯通信端末２００、移動網３００、公衆電話網（ＰＳＴＮ）３５０、および固定電話機３６０を含む。移動網３００は、複数の基地局３０１、基地局３０１を収容する移動交換局３０２、および、公衆電話網３５０との接続のための関門移動交換局３０３を含む。このようなシステム構成自体は既知である。携帯通信端末２００は、移動網３００を介した他の携帯通信端末２００と通話ができるとともに、公衆電話網３５０を介して固定電話機３６０とも通話が可能である。
【００２１】
図２は本実施の形態における端末２００の外観の一例を示している。ここでは、上部筐体２１０と下部筐体２２０とがヒンジ結合された折り畳み型の携帯電話機の例を示す。上部筐体２１０には液晶ディスプレイ等の表示部２０１が配置されている。下部筐体２２０は、入力操作部１２０として、電話を掛けるためや、Ｗｅｂを閲覧する為の左右キー２０２，２０４、カーソルの移動等を行うためのジョグダイヤル２０３、Ｗｅｂ閲覧開始，メール編集開始等のためのソフトキー２０５，２０６の他、本発明において下部筐体２２０の側部に設けられた非接触ＩＣカード使用キー（操作手段）２０８を備えている。非接触ＩＣカード使用キー２０８は、本実施の形態においては、通話中に非接触ＩＣカード機能を利用しようとする場合にその使用に先立ってユーザが操作（この例では押下）するための操作キーである。
【００２２】
なお、端末は折り畳み型に限るものではなく、いわゆるストレート型等、任意の型のものであってもよい。
【００２３】
図３は、図２に示した端末２００の内部ハードウェア構成を示すブロック図である。端末２００は、端末全体を制御するＣＰＵ１００、端末の動作電源を供給する電源部１０１、表示部２０１を構成する液晶ディスプレイ（ＬＣＤ）１０３、この液晶ディスプレイ１０３の動作を制御するＬＣＤコントローラ１０２、各種プログラムおよびデータを記憶するメモリ１０４、送信信号の変調および増幅等を行う送信部１０５、受信信号の復調、増幅等を行う受信部１０６、送受信信号の振り分けを行うデュプレクサ（ＤＵＰ）１０７、送受信用のアンテナ１０８、ＣＰＵ１０９および他の必要部の動作クロックを提供する発振器１０９、非接触ＩＣカード部１１０および非接触ＩＣカード用アンテナ１１１、非接触ＩＣカード部１１０用の動作クロックを提供する発振器１１２、上述した入力操作部１２０、音声処理部１３０、スピーカ１３１、イヤレシーバ１３２、マイク１３３等を備えて構成される。ＣＰＵ１００は、ＤＳＰ等の専用の処理部を含んでもよい。
【００２４】
ここで、端末２００により携帯電話の通信を行なう場合、ＣＰＵ１００は発振器１０９から得たクロックを基に、マイク１３３から入力された音声を処理し、送信部１０５により変調、増幅し、デュプレクサ１０７を介して携帯電話用アンテナ１０８から当該音声信号を電波として出力する。また、アンテナ１０８から入力された受信信号は、デュプレクサ１０７を介して受信部１０６により復調され、音声処理部１３０を介してスピーカ１３１またはイヤレシーバ１３２から音声として出力される。
【００２５】
また、非接触ＩＣカード部１１０での通信を行なう場合は、ＣＰＵ１００からシリアル接続された非接触ＩＣカード部１１０が、発振器１１２から得たクロックを基に、外部リーダライタ（図示せず）から受信した信号を復調し、また、内部のデータを変調して非接触ＩＣカード用アンテナ１１１から外部リーダライタへ出力する。非接触カード部の所期の動作は、非接触カード部１１０が外部リーダライタに数ｃｍないし数十ｃｍ程度の距離にまで近接したとき、非接触カード部が外部リーダライタから発せられる所定の信号を受信して起動される。
【００２６】
電子メールやＷｅｂ閲覧等の動作時には、音声信号ではなくデータ信号がアンテナ１０８から送受信される。アンテナ１０８の送受信するデータはメモリ１０４に保持され、必要な情報はＬＣＤコントローラ１０２を介してＬＣＤ１０３に表示される。非接触ＩＣカード部１１０はメモリを内蔵し、アンテナ１１１での送受信データを記憶する。非接触ＩＣカード部１１０の内蔵メモリの内容は、必要に応じて、メモリ１０４に転送されうる。
【００２７】
図４は、一例としてＷ−ＣＤＭＡ方式の場合の基地局の構成を示している。基地局３０１は、端末２００との無線通信のためのアンテナ３１１、送受信信号を切り替えるデュプレクサおよび受信信号を増幅する増幅器を含む屋外受信増幅器３１２、電力増幅器を含む送信増幅器部３１３、無線部３１５、制御部３１６、ベースバンド処理部３１７、有線伝送路インタフェース部３１８、および保留音発生部３１９を有する。無線部３１５は、ベースバンド拡散された送信信号をデジタルアナログ変換し、直交変調により無線周波数信号に変換するとともに、屋外受信増幅器３１２からの受信信号を準同期検波し、アナログデジタル変換してベースバンド処理部３１７に伝送する。ベースバンド処理部３１７は、送信信号の誤り訂正符号化、フレーム化、データ変調、拡散変調、および、受信信号の逆拡散、チップ同期、誤り訂正復号、データの多重分離を行う。制御部３１６は、ＣＰＵ、メモリ、等を内蔵し、無線回線管理、無線回線の設定開放などを行う。有線伝送路インタフェース部３１８は、図示しない無線ネットワーク制御装置を介して移動交換局３０２と接続される。無線ネットワーク制御装置は、無線回線接続制御およびハンドオーバ制御等を行う装置である。保留音発生部３１９は、本実施の形態において予め定められた保留音または保留メッセージを出力する。
【００２８】
さて、図５により、本実施の形態における通話中での非接触ＩＣカード機能の利用時の動作を説明する。図５は、第１の端末ＭＳ１と第２の端末ＭＳ２とが通話中（Ｓ１１）に第１の端末において非接触ＩＣカード機能の利用を行う場合の処理の流れを示している。通常、携帯電話の通話を行なっている間は、非接触ＩＣカード部は非動作状態（電源断状態）になっている。しかしながら、実生活上、通話話中に非接触ＩＣカード部を利用しなければならない場面（例えば、駅の改札口を通過したり、会社等のゲートや部屋への入退出を行う場合）がありうる。このような場合に、前述したように、携帯電話部の無線回路から放射された高調波が非接触ＩＣカード部に入り非接触ＩＣカードの通信に影響を及ぼす、もしくは非接触ＩＣカード部に接続された発振器２の高調波が携帯電話用の無線回路に干渉して携帯電話の通信に影響を及ぼすおそれがある。
【００２９】
そこで、本実施の形態では、非接触ＩＣカード部による通信が開始される場合、携帯電話の現在の通話状態情報をメモリに保持し、かつ基地局にも保持した後に携帯電話の通信を一時停止し、その後、非接触ＩＣカード機能の利用終了後に、あたかも中断がなかったかのように、通話を元の状態に復帰させる。現在の通話状態情報とは、例えば、当該通話の相手の電話番号、現在までの通話時間カウント値、現在までの通話時間に相当する課金情報、等である。但し、課金情報が通話時間の確定後に求められる場合には課金情報を含める必要はない。また、通話時間カウント値も必ずしも保持すべき必須の情報ではない。
【００３０】
図５の例では、端末ＭＳ１が基地局ＢＳ１のエリアに属し、端末ＭＳ２が基地局ＢＳ２のエリアに属するものとしているが、両端末が同一の基地局のエリアに属する場合もありうる。基地局ＢＳ１とＢＳ２の間に介在する移動交換局３０２等は図示省略している。端末ＭＳ１は、非接触ＩＣカード機能の利用が行われることを割り込み信号の発生により認識する。割り込みは、手動および自動で行うことができる。手動の割り込みは、ユーザによる非接触ＩＣカード使用キー２０８の操作（図２の例では押下）によって行うことができる。自動の割り込みは、後述するように、非接触ＩＣカード部の動作に従って行うことができる。
【００３１】
このような割り込みに従って、端末ＭＳ１は中断要求を基地局ＢＳ１に送信する（Ｓ１２）。この中断要求に応じて、ＭＳ１の接続が解除され（Ｓ１４）、一旦通話が遮断される。このとき、基地局ＢＳ１は、中断を要求した端末の電話番号および相手の電話番号を一時保存する。他方、端末ＭＳ２側の接続は維持したまま、基地局ＢＳ１において、前述した保留音発生部３１９から保留音または保留メッセージを再生して、端末ＭＳ２へ流す（Ｓ１５）。これによって、端末ＭＳ２のユーザに対して通話が保留状態になったことを知らしめる。保留メッセージとしては「現在、ＩＣカード利用中です。しばらくお待ちください。」のようにその理由が分かるような音声メッセージであることが望ましい。保留音の場合も、ＩＣカード利用に専用に割り当てられた特別の音パターンまたは音楽を利用することが望ましい。
【００３２】
端末ＭＳ１は基地局ＢＳからの応答を受け（Ｓ１３）、接続が解除された後、その送受信部への電源を遮断することによりその動作を停止し、その後、非接触ＩＣカード機能の利用を開始する（Ｓ１６）。端末ＭＳ１は、非接触ＩＣカード機能の利用の終了を検知して、送受信部への電源供給を再開するとともに、基地局ＢＳ１に対して復帰要求を行う（Ｓ１７）。端末ＭＳ１は中断要求時に相手の電話番号を一時記憶しておき、復帰要求時に自己の電話番号と相手の電話番号を併せて基地局ＢＳ１へ通知する。両電話番号とともに復帰要求を受けた基地局ＢＳ１は、先に一時保存した両電話番号と、今通知を受けた両電話番号とがそれぞれ一致すること、および、その相手端末ＭＳ２が未だ接続中であることを確認する（Ｓ１８）。この確認ができなかった場合には、端末ＭＳ１に対して復帰ができなかった旨を知らせるエラー通知を行う（Ｓ１９）。上記確認が行えた場合には、基地局ＢＳ１は、端末ＭＳ２に対する保留音または保留メッセージの出力は停止し、端末ＭＳ１に通信チャネルを割り当てて、端末ＭＳ１との再接続を行う（Ｓ２０）。端末ＭＳ１は基地局からの応答を受けて（Ｓ２０）、復帰処理を行う。このようにして、端末ＭＳ１と端末ＭＳ２との間の通話が再開される（Ｓ２１）。
【００３３】
なお、端末ＭＳ１が相手方から着信した場合、発信元非通知の場合等、相手方の電話番号を認識できない場合もある。このとき、復帰要求時に相手の電話番号を基地局へ通知することができない。本実施の形態において両電話番号を確認するのは、二端末間の中断された通話を確実に同一端末間で復帰させるためであるが、一方の電話番号が確認されれば直前の当該通話を特定できるので、相手の電話番号の一致を要求しないようにしてもよい。
【００３４】
このように、本実施の形態によれば、端末が通話中に非接触ＩＣカード機能を利用する際に、その端末のみ送受信部の動作を一時停止し、復帰時には再度ダイヤリングを行うことなく、通話を再開することができる。当該端末の通話のための接続は一時切断されるが、その間、端末ＭＳ２の接続は維持し、保留状態とするため、ユーザには、端末ＭＳ１とは未だ接続中であるかのように見える。
【００３５】
図６は、図５の処理の流れにおける端末ＭＳ１の処理フローを示すフローチャートである。この例では、ユーザが非接触ＩＣカード機能の利用に先だって、非接触ＩＣカード使用キー２０８を押下する場合を想定している。非接触カード機能の利用開始を自動的に検出する場合も、それ以外の動作は同様である。通話は端末同士の間を例として説明するが、端末と固定電話機３６０（図１）との間であっても同様である。
【００３６】
通話中に非接触ＩＣカード使用キー２０８の押下による割り込みが発生すると（Ｓ３０１）、端末通信状態保持処理を行う（Ｓ３０２）。通話の発呼は端末ＭＳ１，ＭＳ２のいずれからであってもよい。端末通信状態保持処理処理は、図７に示すように、基地局に対して、現在の通話状態を保持したまま一時通話を中断したい旨の通知（中断要求）を送信する（Ｓ４０１）。これに対して基地局から了解した旨の応答を受信すると（Ｓ４０２）、現在の通話状態情報をメモリに保持（待避）する（Ｓ４０３）。
【００３７】
図６に戻り、ステップＳ３０２の端末通信状態保持処理の後、端末通信一時停止処理を行う（Ｓ３０３）。この処理では、端末は、通常の通信終了処理と同様に、通信を一時停止する。これにより、端末と当該基地局との間の接続が解除される。ついで、端末は、送信部および受信部（無線回路）の電源を遮断する（Ｓ３０４）。これにより、端末のアンテナ１０８（図１）からの電波の放射はなくなり、通信の妨害になる要素が完全に排除される。このようにして、無線回路の動作が一時停止されたことを、表示部への所定のメッセージ（文字やアイコン等）の表示によりユーザに知らしめる（Ｓ３０５）。その後、非接触ＩＣカード部１１０（図３）と外部リーダライタ（図示せず）との間で非接触ＩＣカード通信処理が行われる（Ｓ３０６）。
【００３８】
端末の通信一時停止から所定の時間（この例では５分）が経過したか否かを監視する（Ｓ３０７）。この所定の時間は、その間に非接触ＩＣカード機能の利用が確実に完了すると予測される時間とする。この時間が経過したら、送信部および受信部の電源を再投入する（Ｓ３０９）。また、この時間の経過前に、非接触ＩＣカード使用キー２０８の押下割り込みが発生したら（Ｓ３０８）、直ちに送信部および受信部の電源を再投入する（Ｓ３０９）。したがって、上記所定の時間は、ユーザが非接触ＩＣカード機能の使用後に非接触ＩＣカード使用キー２０８を押下し忘れた場合の救済のため、自動的の元の状態に復帰させるためのタイムアウト時間として機能する。前記「所定の時間」はユーザが可変設定できるようにしてもよい。非接触ＩＣカード部の機能が複数存在する場合、その機能（例えば定期券機能、電子マネー機能等）によって異なる時間が適用されるようにしてもよい。
【００３９】
続く端末通信状態復帰処理では、端末から基地局に対して復帰要求を行う（Ｓ３１０）。これにより、端末と基地局との間が再接続され、発呼元と発呼先の両端末間の通話のための通信状態が復元される。
【００４０】
この端末通信状態復帰処理では、図８に示すように、端末から基地局に対して、現在一時中断中の通話の復帰要求を送信する（Ｓ７０１）。この際、前述のように、自己の電話番号と相手の電話番号を併せて通知する。これに対して、基地局からの応答を受けて（Ｓ７０２）、先のステップＳ４０３で待避された通話状態情報をメモリから復帰させる（Ｓ７０３）。例えば、通話時間カウンタ（図示せず）にメモリから復帰したカウント値を設定して、時間カウントを再開させる。
【００４１】
なお、非接触ＩＣカード使用キー２０８を利用せずに、非接触ＩＣカード部の動作を利用することにより自動的に中断要求の発生を行うようにする場合、非接触ＩＣカード部は、目的の通信動作を実行しようとするとき、その動作の実行に先立って、端末ＣＰＵに対して割り込みをかける。これにより、端末ＣＰＵが基地局に対して中断要求を発し、通信回路の電源を一時停止した後、ＩＣカード部に対して許可信号を発行する。非接触ＩＣカード部は、この許可信号の発行を待って、目的の通信動作を実行する。非接触ＩＣカード部は、この目的の通信動作が終了したとき、端末ＣＰＵに対して再度の割り込みにより終了報告を行うことにより、端末ＣＰＵは通信回路の電源を再投入して基地局に復帰要求を出力することができる。この代わりに、許可信号に依存せず、中断要求を発してから所定の時間経過を待って目的の通信動作を実行するようにしてもよい。
【００４２】
次に本発明の第２の実施の形態について説明する。第１の実施の形態は、電話通信中すなわち通話中での非接触ＩＣカード機能の利用に関するものであったが、本実施の形態ではデータ通信中での非接触ＩＣカード機能の利用に関するものである。
【００４３】
図９は第２の実施の形態に係るシステムの概略構成を示している。このシステムは、データ通信機能を有する携帯通信端末２００、移動網３００、インターネット４５０、およびサーバ４６０を含む。移動網３００は、例えばパケット通信をサポートする基地局３０１、およびセンタ４００を含む。このようなシステム構成自体は既知である。携帯通信端末２００は、センタ４００を介してインターネット４５０に接続でき、インターネット４５０に接続されたサーバ４６０にアクセスすることができる。センタ４００は、端末２００に対して、電子メールやウェブ閲覧等のインターネット接続サービスを提供する。サーバ４６０は、ウェブ情報やダウンロード対象のデータを提供するサーバである。図示しないが、センタ４００に対して専用線で接続されたサーバが存在してもよく、端末２００はこのようなサーバにもアクセスすることができる。このシステムにおける端末２００および基地局３０１の構成は図２、図３、図４に示したとおりである。
【００４４】
図１０により、本実施の形態におけるデータ通信中での非接触ＩＣカード機能の利用時の動作を説明する。図１０は、端末ＭＳによるサーバからデータのダウンロード中に端末において非接触ＩＣカード機能の利用を行う場合の処理の流れを示している。なお、本明細書におけるダウンロードとは、ファイル等の単位データをサーバから端末内に取り込むことをいう。
【００４５】
端末がサーバにアクセスし、所定のＵＲＬ（Uniform Resource Locator）のデータをダウンロードしている最中に（Ｓ４１）、ユーザが非接触ＩＣカード機能を利用しようとする際、上記のように非接触ＩＣカード使用キー２０８の操作による手動の割り込み、または、自動割り込みにより、端末は基地局へ中断要求を行う（Ｓ４２）。この際、現在の通信状態情報として、端末識別情報（例えば電話番号）、ダウンロード対象を表すＵＲＬ情報およびそのダウンロード済のデータ量（例えばバイト数）を表す情報も送信する。基地局ＢＳはこれらの情報を一時記憶し、サーバに対してダウンロードの中断要求を発行する（Ｓ４３）。また、端末に対して中断要求を受け入れた旨の応答を返す（Ｓ４４）。この応答に応じて、端末は、非接触ＩＣカード部の動作を開始する（Ｓ４５）。この動作終了時に、端末は基地局に対して復帰要求を出力する（Ｓ４６）。この際、端末は端末識別情報およびＵＲＬ情報を基地局に送信する。基地局はこれらの情報が上記一時記憶した情報と一致するかを確認し（Ｓ４７）、一致しなければ端末へエラー通知を行う（Ｓ４８）。一致すれば、基地局は再度端末に通信チャネルを割り当てて、端末との再接続を行う（Ｓ４９）。基地局はこの復帰要求に応じて、先に一時保存しておいたダウンロード対象を表すＵＲＬ情報およびそのダウンロード済のデータ量を表す情報に基づいて、後続のデータのダウンロードをサーバに要求する（Ｓ５０）。これにより、サーバから端末へのダウンロードが再開される（Ｓ５１）。端末からセンタへの接続時にセンタから端末に割り当てられたＩＰアドレスは、ＩＣカード使用の前後で割り当てられたままである。よって、端末から再度センタにアクセスする必要はなく、中断した通信を再開することができる。
【００４６】
図１０の処理シーケンスにおける端末の処理はほぼ図６に示したものと同じであるが、そのステップＳ３０２およびＳ３１０について、細部の処理が異なるので、それぞれ、図１１、図１２により説明する。
【００４７】
図１１において、端末は、基地局に対して一時ダウンロードを中断したい旨の通知（中断要求）を送信する（Ｓ５０１）。これに対して基地局から了解した旨の応答を受信すると（Ｓ５０２）、上述した現在の通信状態情報をメモリに保持（待避）する（Ｓ５０３）。
【００４８】
図１２において、端末は、基地局に対して、現在一時中断中のダウンロードの復帰要求を送信する（Ｓ８０１）。この際、前述のように、通信状態情報を併せて送信する。これに対して、基地局から再接続を受ける（Ｓ８０２）。そこで、ダウンロードを再開する（Ｓ８０３）。先のステップＳ５０３で待避された通話状態情報をメモリから復帰させ、再開されたダウンロードのデータと結合する（Ｓ８０４）。
【００４９】
図１３は、図１０の処理シーケンスの変形例を示している。図１０の処理シーケンスでは、中断要求によりダウンロードを中断したが、この例では基地局がダウンロードを継続して実行する。
【００５０】
図１３において、端末がサーバにアクセスし、所定のＵＲＬのデータをダウンロードしている最中に（Ｓ５１）、ユーザが非接触ＩＣカード機能を利用しようとする際、上記のように非接触ＩＣカード使用キー２０８の操作による手動の割り込み、または、自動割り込みにより、端末は基地局へ中断要求を行う（Ｓ５２）。この際、現在の通信状態情報として、自己の端末識別情報およびダウンロード対象を表すＵＲＬ情報も送信する。基地局ＢＳはこれらの情報を一時記憶しておき、サーバからのダウンロードデータを代行受信して（Ｓ５４）、その記憶部（例えば、図４の制御部３１６内）に一時蓄積する（Ｓ５６）。端末では、基地局からの応答Ｓ５３を受けた後、非接触ＩＣカード部の動作を行う（Ｓ５５）。この動作終了後、端末は基地局に対して、端末識別情報およびＵＲＬ情報とともに復帰要求を出力する（Ｓ５７）。基地局はこれらの情報が先に記憶した情報と比較するかを確認し（Ｓ５８）、一致しなければ、エラー通知を端末に返す（Ｓ５９）。一致すれば、基地局は代行受信が終了した後（Ｓ６０）、再度端末に通信チャネルを割り当てて、端末との再接続を行う（Ｓ６１）。そこで、基地局は代行受信したデータを端末に送信することにより、ダウンロードを再開する（Ｓ６２）。端末は、このダウンロードが終了したら（Ｓ６３）、ダウンロード後の所定のＵＲＬを指定してサーバと再接続を行う（Ｓ６４）。
【００５１】
以上、本発明の好適な実施の形態について説明したが、上記で言及した以外にも、種々の変形、変更を行うことが可能である。
【図面の簡単な説明】
【００５２】
【図１】本発明の第１の実施の形態に係るシステムの概略構成を示す図である。
【図２】本発明の実施の形態における端末の外観の一例を示す図である。
【図３】図２に示した端末の内部ハードウェア構成を示すブロック図である。
【図４】図１に示した基地局の構成を示すブロック図である。
【図５】本実施の形態において通話中に端末において非接触ＩＣカード機能の利用を行う場合の処理の流れを示すシーケンス図である。
【図６】図５の処理の流れにおける端末ＭＳ１の処理フローを示すフローチャートである。
【図７】図５の端末通信状態保持処理処理の詳細例を示すフローチャートである。
【図８】図５の端末通信状態復帰処理の詳細例を示すフローチャートである。
【図９】本発明の第２の実施の形態に係るシステムの概略構成を示す図である。
【図１０】本発明の第２の実施の形態におけるデータ通信中での非接触ＩＣカード機能の利用時の動作を示すシーケンス図である。
【図１１】本発明の第２の実施の形態におけるステップＳ３０２の処理例を示すフローチャートである。
【図１２】本発明の第２の実施の形態におけるステップＳ３１０の処理例を示すフローチャートである。
【図１３】図１０の処理シーケンスの変形例を示している。
【符号の説明】
【００５３】
１０１…電源部、１０２…コントローラ、１０３…液晶ディスプレイ、１０４…メモリ、１０５…送信部、１０６…受信部、１０７…デュプレクサ、１０８…携帯電話用アンテナ、１０９…発振器、１１０…非接触ＩＣカード部、１１１…非接触ＩＣカード用アンテナ、１１２…発振器、１２０…入力操作部、１３０…音声処理部、１３１…スピーカ、１３２…イヤレシーバ、１３３…マイク、２００…携帯通信端末、２０１…表示部、２０２，２０４…左右キー、２０３…ジョグダイヤル、２０５，２０６…ソフトキー、２０８…非接触ＩＣカード使用キー、２１０…上部筐体、２２０…下部筐体、３００…移動網、３０１…基地局、３０２…移動交換局、３０３…関門移動交換局、３１７…ベースバンド処理部、３１８…有線伝送路インタフェース部、３１９…保留音発生部、３５０…公衆電話網、３６０…固定電話機、４００…センタ、４５０…インターネット、４６０…サーバ
【図１】
2005328130.tif 000003
【図２】
2005328130.tif 000004
【図３】
2005328130.tif 000005
【図４】
2005328130.tif 000006
【図５】
2005328130.tif 000007
【図６】
2005328130.tif 000008
【図７】
2005328130.tif 000009
【図８】
2005328130.tif 000010
【図９】
2005328130.tif 000011
【図１０】
2005328130.tif 000012
【図１１】
2005328130.tif 000013
【図１２】
2005328130.tif 000014
【図１３】
2005328130.tif 000015